(57)【特許請求の範囲】
【請求項１】
ハウジングと、
前記ハウジングに保持されるコンタクトと、
前記ハウジングの一面側に設けられ、一端部が前記ハウジングに支軸を介して回動自在に連結されたレバーと、を備え、
前記レバーは、
前記ハウジングを挟んだ両側において、それぞれ、当該レバーの他端部に向けて前記ハウジングの長手方向に沿って延びる延伸部と、
前記レバーの他端部近傍に位置する前記延伸部のそれぞれから下方に向けて延びるアーム部と、
前記ハウジングを挟んだ両側の前記アーム部の間に掛け渡された連結部と、
前記連結部において、前記延伸部から離間する側に突出する突出部と、を備え、
前記ハウジングにおいて前記連結部と対向する位置に、前記レバーの前記支軸を中心とした回動軌跡に沿って連続する突条が設けられ、
前記連結部および前記突出部に、前記レバーの前記支軸を中心とした回動動作時に、前記突条に常に噛み合う凹溝が形成されているとともに、
前記ハウジングの下面端部に、前記レバーを倒したときに前記連結部と対向する顎部が突出形成されており、かつ、前記顎部に、前記レバーを倒したときに前記突出部を収容する凹部が形成されていることを特徴とする電気コネクタ。
【請求項２】
前記ハウジングに保持された前記コンタクトに電気的に接続される電線は、前記レバーの他端側に配索されることを特徴とする請求項１に記載の電気コネクタ。
【請求項３】
電気コネクタ組立体であって、
第一のハウジングと、
前記第一のハウジングに嵌合する第二のハウジングと、
前記第一のハウジングに保持される第一のコンタクトと、
前記第二のハウジングに保持され、前記第一のコンタクトに接続される第二のコンタクトと、を備え、
前記第一のハウジングは、前記第二のハウジングを受容する空間を形成するフードを備え、
前記第二のハウジングの一面側に、前記フード内への前記第二のハウジングの挿入力を軽減するため、一端部が前記第二のハウジングに支軸を介して回動自在に連結されたレバーを備え、
前記レバーは、
前記第二のハウジングを挟んだ両側において、それぞれ、当該レバーの他端部に向けて前記第二のハウジングの長手方向に沿って延びる延伸部と、
前記レバーの他端部近傍に位置する前記延伸部のそれぞれから下方に向けて延びるアーム部と、
前記第二のハウジングを挟んだ両側の前記アーム部の間に掛け渡された連結部と、
前記連結部において、前記延伸部から離間する側に突出する突出部と、を備え、
前記第二のハウジングにおいて前記連結部と対向する位置に、前記レバーの前記支軸を中心とした回動軌跡に沿って連続する突条が設けられ、
前記連結部および前記突出部に、前記レバーの前記支軸を中心とした回動動作時に、前記突条に常に噛み合う凹溝が形成されているとともに、
前記第二のハウジングの下面端部に、前記レバーを倒したときに前記連結部と対向する顎部が突出形成されており、かつ、前記顎部に、前記レバーを倒したときに前記突出部を収容する凹部が形成されていることを特徴とする電気コネクタ組立体。
【発明の詳細な説明】
【技術分野】
【０００１】
本発明は、電気コネクタ、電気コネクタ組立体に関する。
【背景技術】
【０００２】
従来から、プリント配線基板等の回路基板（以下、単に基板という）に実装され、基板と他の電気回路とを接続する電気コネクタ（以下、単にコネクタという）が広く使われている。このコネクタは、コンタクトと、このコンタクトを保持するハウジングとを主たる構成要素としている。コネクタには、雌型のリセプタクルコネクタと雄型のプラグコネクタとが存在する。リセプタクルコネクタは、筒状のフードを有しており、このフード内に複数のコンタクトが配置されている。プラグコネクタは、フード内に挿入されるハウジングを有しており、このハウジングに、リセプタクルコネクタのコンタクトに嵌合するコンタクトが設けられている。
【０００３】
リセプタクルコネクタにプラグコネクタを嵌合する際の挿入力を低減するために、レバー付きのコネクタが従来より提供されている（例えば、特許文献１参照。）。
レバー付きのコネクタは、プラグコネクタに対し、レバーが回動自在に設けられている。レバーの先端側（支点から離れた側）を作業者が手で回動操作することで、レバーの支点近傍に設けられた作用点部から、リセプタクルコネクタとプラグコネクタとの間に、双方を互いに接近または離間させる方向の力（この力を倍力と称する。）を作用させる。このレバーの発する倍力により、リセプタクルコネクタとプラグコネクタとをより軽い力で挿抜できる。
【０００４】
ところで、上記したようなレバーを備えるプラグコネクタにおいては、プラグハウジングに保持されたコンタクトに配線を予め接続しておくのが通常である。そして、このプラグコネクタをリセプタクルコネクタに嵌合する。しかし、プラグコネクタに配線を接続した工程以降、プラグコネクタをリセプタクルコネクタに嵌合する工程までの間に、搬送中等に、配線がレバーとプラグハウジングとの間に挟み込まれてしまうことがある。配線がレバーとプラグハウジングとの間に挟み込まれると、プラグコネクタをリセプタクルコネクタに嵌合するに先立ち、挟み込まれた配線を作業者が取り外さなければならず、これに手間がかかり、生産効率の低下に繋がる。また、配線がレバーとプラグハウジングとの間に挟み込まれたまま、レバーに想定外の力が加えられた場合には、配線が断線してしまう可能性がある。
そこで、従来より、特許文献１に記載の技術のように、プラグハウジングにリブを設けるとともに、レバーにスリットを設け、レバーとプラグハウジングとの間に配線を挟みこむのを防止する構成が提案されていた。
【先行技術文献】
【特許文献】
【０００５】
【特許文献１】特開平１１−２８３６９８号公報
【発明の概要】
【発明が解決しようとする課題】
【０００６】
レバーによって発生させる、プラグコネクタをリセプタクルコネクタに容易に嵌合させるための倍力は、レバーの支点からの長さを大きくすれば増大する。しかしこれではレバー、すなわちプラグコネクタの大型化につながるため、好ましくない。
【０００７】
そこで、レバーの引き起こし角度（レバーを起こした状態のときの角度）を大きくするのが好ましい。しかし、レバーの引き起こし角度を大きくすると、上記したような従来の構成におけるスリットがリブから抜けてしまうことになる。すると、レバーを大きく引き起こしたときには、レバーとプラグコネクタとの間に配線を挟みこむのを防止するという効果を発揮できない。
【０００８】
さらに、プラグコネクタに保持されたコンタクトに接続された配線を、レバーの先端側に配索した場合、レバーを引き起こすとレバーと電線が干渉してしまう。電線との干渉を避けようとすると、レバーの引き起こし角度が小さくなり、レバーの回転角度が制限されるため、レバーにより発揮できる倍力を思うように得ることができないという問題がある。
【０００９】
このように、レバー、すなわちプラグコネクタの大型化を防ぎつつも、配線を挟み込むのを確実に防ぐことのできる電気コネクタ、電気コネクタ組立体を提供することを目的とする。
【課題を解決するための手段】
【００１０】
かかる目的のもと、本発明の電気コネクタは、ハウジングと、ハウジングに保持されるコンタクトと、ハウジングの一面側に設けられ、一端部がハウジングに支軸を介して回動自在に連結されたレバーと、を備え、レバーは、ハウジングを挟んだ両側において、それぞれ、当該レバーの他端部に向けてハウジングの長手方向に沿って延びる延伸部と、レバーの他端部近傍に位置する延伸部のそれぞれから下方に向けて延びるアーム部と、ハウジングを挟んだ両側のアーム部の間に掛け渡された連結部と、連結部において、延伸部から離間する側に突出する突出部と、を備える。ハウジングにおいて連結部と対向する位置には、レバーの支軸を中心とした回動軌跡に沿って連続する突条が設けられ、連結部および突出部に、レバーの支軸を中心とした回動動作時に、突条に常に噛み合う凹溝が形成されている。そして、ハウジングの下面端部に、レバーを倒したときに連結部と対向する顎部が突出形成されており、かつ、この顎部に、レバーを倒したときに突出部を収容する凹部が形成されていることを特徴とする。
このようなレバーは、ハウジングを、嵌合対象となる他の電気コネクタのハウジングに嵌合させるときの嵌合力を、テコの原理により軽減するためのものである。そして、ハウジングに突条が設けられ、連結部および突出部に、突条に噛み合い、レバーの回動動作時に突条に常に噛み合う凹溝が形成されているので、レバーとハウジングの間に配線を挟み込むのを防止できる。特に、連結部において、延伸部から離間する側に突出する突出部にも凹溝を形成したので、レバーを従来以上に開いても、突出部において凹溝が突条に噛み合っている。
なおここで、凹溝が突条に噛み合う、とは、少なくとも凹溝内に突条が挿入されていれば良く、凹溝と突条が嵌合したり、機械的に拘束力を発揮するように係合する必要は無い。
また、ハウジングの下面端部に、レバーを倒したときに連結部と対向する顎部が突出形成される。これにより、作業者が顎部を保持することで、ハウジングを確実に保持することができ、レバーの操作性が向上する。
顎部には、レバーを倒したときに突出部を収容する凹部が形成されている。これにより、顎部を形成した場合であっても、突出部が顎部に突き当たるまで、レバーを倒すことができるので、レバーの回動角度を大きく確保することができる。
【００１３】
また、本発明は、電気コネクタ組立体であって、第一のハウジングと、第一のハウジングに嵌合する第二のハウジングと、第一のハウジングに保持される第一のコンタクトと、第二のハウジングに保持され、第一のコンタクトに接続される第二のコンタクトと、を備え、第一のハウジングは、第二のハウジングを受容する空間を形成するフードを備え、第二のハウジングの一面側に、フード内への第二のハウジングの挿入力を軽減するため、一端部が第二のハウジングに支軸を介して回動自在に連結されたレバーを備え、レバーは、第二のハウジングを挟んだ両側において、それぞれ、当該レバーの他端部に向けて第二のハウジングの長手方向に沿って延びる延伸部と、レバーの他端部近傍に位置する延伸部のそれぞれから下方に向けて延びるアーム部と、第二のハウジングを挟んだ両側のアーム部の間に掛け渡された連結部と、連結部において、延伸部から離間する側に突出する突出部と、を備え、第二のハウジングにおいて連結部と対向する位置に、レバーの支軸を中心とした回動軌跡に沿って連続する突条が設けられ、連結部および突出部に、レバーの支軸を中心とした回動動作時に、突条に常に噛み合う凹溝が形成されている。そして、第二のハウジングの下面端部に、レバーを倒したときに連結部と対向する顎部が突出形成されており、かつ、顎部に、レバーを倒したときに突出部を収容する凹部が形成されていることを特徴とすることもできる。
【発明の効果】
【００１４】
本発明によれば、ハウジングに突条が設けられ、レバーの連結部および突出部に、レバーの回動動作時に突条に常に噛み合う凹溝が形成されているので、レバーとハウジングの間に配線を挟み込むのを防止できる。特に、連結部において、ハウジングの他面側に突出した突出部にも凹溝を形成したので、レバーを従来以上に開いても、突出部において凹溝が突条に噛み合っている。その結果、レバーの開き角度を大きくすることができ、レバーによって発生させる倍力を増大させつつ、配線を挟み込むのを確実に防ぐことができる。
【図面の簡単な説明】
【００１５】
【図１】本実施の形態における電気コネクタ組立体を示す斜視図である。
【図２】電気コネクタ組立体を図１とは異なる角度から見た斜視図である。
【図３】リセプタクルコネクタを示す斜視図である。
【図４】プラグコネクタを示す図であって、レバーを引き起こしてロックした状態を示す図である。
【図５】図４に示した状態におけるプラグコネクタの斜視図である。
【図６】（ａ）は図４に示した状態における、プラグコネクタの中心線に沿った断面図、（ｂ）は図４に示した状態における、プラグコネクタをレバーの他端側から見た図である。
【図７】プラグコネクタのレバーを倒して仮係止した状態を示す図であり、（ａ）は側面図、（ｂ）は（ａ）のＡ−Ａ断面図である。
【図８】プラグコネクタをリセプタクルコネクタに嵌合させた状態における断面図である。
【図９】プラグコネクタをリセプタクルコネクタに挿入していくときの状態を示す図であり、（ａ）は側断面図、（ｂ）はレバーをロックした部分を示す断面図である。
【図１０】図９の状態からプラグコネクタをリセプタクルコネクタにさらに挿入した状態を示す図であり、（ａ）は側断面図、（ｂ）はレバーをロックした部分を示す断面図である。
【発明を実施するための形態】
【００１６】
以下、添付図面に示す実施の形態に基づいてこの発明を詳細に説明する。
図１および図２に示すように、電気コネクタ組立体１０は、プリント配線板側に固定されるリセプタクルコネクタ２０と、このリセプタクルコネクタ２０に嵌合可能なプラグコネクタ３０とから構成される。
【００１７】
本実施の形態において、リセプタクルコネクタ２０には、例えば３つのプラグコネクタ３０Ａ、３０Ｂ、３０Ｃが一方向に並べて嵌合される。なお、リセプタクルコネクタ２０に対して嵌合するプラグコネクタ３０の数は、本発明においては何ら限定する意図はなく、一つのみ、あるいは二つ、四つ以上等とすることもできる。なお、以下の説明において、プラグコネクタ３０Ａ、３０Ｂ、３０Ｃを特に区別する必要のない限り、これらを単にプラグコネクタ３０と称し、その説明を共通とする。
【００１８】
リセプタクルコネクタ２０は、樹脂製のリセプタクルハウジング（第一のハウジング）２１と、銅系材料等の導電性材料から形成されたコンタクト（第一のコンタクト）２２とから構成される。
【００１９】
図３に示すように、リセプタクルハウジング２１には、複数のコンタクト２２を、互いに間隔を隔てて配列した状態で保持するコンタクト保持壁２３が設けられている。コンタクト保持壁２３には、複数のコンタクト２２を互いに間隔を隔てて配列された状態で保持するための挿通孔が貫通して形成されている。
【００２０】
コンタクト保持壁２３の一面側には、プラグコネクタ３０が嵌合されるフード２６が設けられている。フード２６は、コンタクト保持壁２３から立ち上がる矩形筒状であり、その内側は、プラグコネクタ３０を挿入するための受容空間２７とされている。本実施形態において、受容空間２７は仕切り壁２８によって３つに区切られ、これら３つの受容空間２７により、３つのプラグコネクタ３０Ａ、３０Ｂ、３０Ｃの挿入・嵌合を受容する。
【００２１】
図４、図５に示すように、プラグコネクタ３０は、それぞれ、リセプタクルハウジング２１のフード２６に嵌合する樹脂製のプラグハウジング（ハウジング、第二のハウジング）３１と、銅合金等の導電性材料からなるコンタクト（第二のコンタクト）３３とから構成されている。
【００２２】
図４に示したように、プラグハウジング３１は、リセプタクルハウジング２１の受容空間２７に嵌め合う断面形状を有している。図６に示すように、プラグハウジング３１には、リセプタクルコネクタ２０の複数のコンタクト２２に対応して、複数のコンタクト保持孔３２が互いに間隔を隔てて形成されている。これらコンタクト保持孔３２のそれぞれにコンタクト３３が保持されている。
【００２３】
プラグハウジング３１の上面（一面側）３１ａに開口したコンタクト保持孔３２には、電線（図示無し）が挿入されている。この電線（図示無し）は、コンタクト保持孔３２内のコンタクト３３に電気的に接続されている。複数のコンタクト３３にそれぞれ接続されたこれらの電線は、束ねられてワイヤーハーネス１００とされ、リセプタクルコネクタ２０に対するプラグコネクタ３０の挿抜方向に直交し、かつプラグハウジング３１の長手方向（レバー４０の長手方向：図６（ａ）において左右方向）に配索されている。
【００２４】
このようなプラグコネクタ３０は、プラグハウジング３１をリセプタクルハウジング２１の受容空間２７に挿入することでリセプタクルコネクタ２０に嵌合される。すると、プラグコネクタ３０側のコンタクト３３が、リセプタクルハウジング２１のフード２６内に位置するコンタクト２２に電気的に接続される。
【００２５】
図４に示したように、プラグハウジング３１をリセプタクルハウジング２１に対して挿抜する時に必要な力を軽減するため、プラグハウジング３１の上面３１ａ側には、レバー４０がその一端部４０ａ側を回動自在に支持されて設けられている。プラグハウジング３１をリセプタクルハウジング２１に対して挿抜する時には、レバー４０を回動させる。
【００２６】
レバー４０は、その一端部４０ａ側において、プラグハウジング３１の側面に設けられた支軸４１に回動自在に連結されている。支軸４１は、プラグハウジング３１の中心に対し、一端部４０ａ側にオフセットして設けられている。
【００２７】
レバー４０は、一端部４０ａから他端部４０ｂに向けて延びる延伸部４２を有している。延伸部４２は、トラス構造のビーム状で、レバー４０を倒して係合状態としたときに、プラグハウジング３１の上面（一面側）３１ａにおいて、両側の側面に沿うよう形成されている。
図４に示すように、レバー４０の延伸部４２において、プラグハウジング３１の両側の側面に沿う部分に薄板状のサイドプレート４２ｐが形成されている。そして、支軸４１が、このサイドプレート４２ｐに形成された孔に挿入されている。
【００２８】
サイドプレート４２ｐにおいて、支軸４１よりもレバー４０の一端部４０ａ側に突出した位置に、レバー４０を回動させたときにその操作力をリセプタクルハウジング２１に伝達するためのカム突起５５が突出形成されている。
一方、図３に示すように、リセプタクルハウジング２１のフード２６には、このカム突起５５をガイドするカム溝５６が形成されている。このカム溝５６は、フード２６の上端部から下方に向かって形成され、レバー４０を回動させるとカム突起５５がカム溝５６に沿って移動する。このとき、レバー４０を起こした状態でプラグハウジング３１をリセプタクルハウジング２１のフード２６に挿入すると、カム突起５５がカム溝５６に入り込む。そして、レバー４０の他端部４０ｂを押してレバー４０を倒していくと、カム突起５５がカム溝５６に沿って変位する。このときに、レバー４０の他端部４０ｂに入力される操作力が、テコの原理により、カム突起５５とカム溝５６との間に作用し、これによってプラグハウジング３１がリセプタクルハウジング２１に挿抜される。したがって、カム溝５６は、プラグハウジング３１をリセプタクルハウジング２１に挿抜させるための倍力を発揮する適宜の形状に形成されている。
【００２９】
また、図７に示すように、サイドプレート４２ｐの先端部には、支軸４１よりもレバー４０の一端部４０ａ側に突出した位置に、ストッパ部４４が形成されている。
プラグハウジング３１には、レバー４０を回動させたときに上下方向に移動するストッパ部４４が入り込む所定長のスリット４５が形成されている。レバー４０を起こしていったときにストッパ部４４がスリット４５の端部に当たり、それ以上の移動、つまりレバー４０の引き起こし角度が規制される。
【００３０】
図４に示すように、レバー４０の他端部４０ｂには、延伸部４２から下方（プラグハウジング３１の他面側）に向けて延びるアーム部６０が設けられている。これにより、レバー４０は、延伸部４２とアーム部６０とが、他端部４０ｂを介して略Ｌ字状となっている。
【００３１】
プラグハウジング３１の一方の側に位置するアーム部６０は、プラグハウジング３１がリセプタクルハウジング２１のフード２６に挿入され、さらに図２、図８に示すように、レバー４０が倒されたときに、レバー４０をリセプタクルハウジング２１に係合させる機能を有している。
図８に示すように、アーム部６０には、下方の支点部６１ａがレバー４０に固定され、支点部６１ａから上方に向けて延びる弾性変形片６１が設けられている。弾性変形片６１は、アーム部６０において、フード２６の短手方向の一方に臨んで形成されている。弾性変形片６１は、可撓性を有した樹脂材料から形成されており、弾性変形片６１の上端部６１ｂを押圧すると、板状あるいはビーム状のバネのように弾性変形し、支点部６１ａ側を中心として上端部６１ｂ側が、フード２６の短手方向に変位する。
弾性変形片６１には、フード２６の内周面と対向する位置に、係合爪６３が設けられている。この係合爪６３は、弾性変形片６１の前記の方向への変位により、フード２６の内周面に接近・離間する。
【００３２】
一方、リセプタクルハウジング２１のフード２６の内周面には、プラグコネクタ３０をフード２６に嵌合させたときに係合爪６３と対向する位置に、係合爪６３と係合する係合凹部６４が形成されている。
【００３３】
プラグハウジング３１をリセプタクルハウジング２１のフード２６に挿入し、さらにレバー４０を倒すと、弾性変形片６１が弾性変形することで、アーム部６０の係合爪６３がフード２６の係合凹部６４に係合する。これにより、レバー４０が倒された状態のままロックされ、プラグハウジング３１がリセプタクルハウジング２１のフード２６に嵌合された状態でロックされる。なおこの状態で、レバー４０は、延伸部４２が、プラグハウジング３１の上面（一面側）３１ａに平行となる。
また、前記の弾性変形片６１は、プラグハウジング３１をリセプタクルハウジング２１のフード２６に挿入し、レバー４０を倒した状態で押圧操作が可能となるよう、上端部６１ｂが、フード２６よりも上方に突出するよう形成されている。レバー４０のロックを解除するには、弾性変形片６１の上端部６１ｂをフード２６の短手方向に押圧する。すると、弾性変形片６１の上端部６１ｂ側がフード２６の内壁面から離間する方向に弾性変形し、アーム部６０の係合爪６３とフード２６の係合凹部６４との係合を解除できるので、そのままレバー４０を起こせば良い。
【００３４】
また、図７（ｂ）に示すように、弾性変形片６１は、支点部６１ａから下方に延びる係止片６５を有している。係止片６５の先端部には、プラグハウジング３１に対向する側に突出する係止爪６５ａが形成されている。
【００３５】
一方、プラグハウジング３１には、係止爪６５ａが係合する係合突起６６が形成されている。本実施形態において、図７（ｂ）に示すように、係合突起６６は、係止爪６５ａが係合突起６６に係合した状態で、レバー４０が、一端部４０ａ側より他端部４０ｂ側が低くなる（プラグハウジング３１に近くなる）ような位置に形成されている。
【００３６】
これら係止爪６５ａが係合突起６６に係合することで、プラグハウジング３１をリセプタクルハウジング２１に嵌合させない状態において、レバー４０をプラグハウジング３１に係止（以下、この状態を仮係止と称する）することができる。
仮係止状態において、レバー４０の弾性変形片６１の上端部６１ｂを、プラグハウジング３１側に押圧する。すると、支点部６１ａを中心として弾性変形片６１が弾性変形し、これにともなって係止爪６５ａがプラグハウジング３１の係合突起６６から離間する。これにより、係止爪６５ａと係合突起６６との係合が解除され、仮係止状態から解放されてレバー４０は回動可能となる。
【００３７】
また、図４、図７に示すように、レバー４０には、サイドプレート４２ｐからアーム部６０側に向けて突出して延びる係合プレート６７が形成されている。
一方、プラグハウジング３１において、係合プレート６７に対向する面には、係合突起６８が形成されている。
図４に示したように、このような係合プレート６７は、レバー４０の他端部４０ｂを起こした状態で、下辺６７ａが係合突起６８に係合するようになっている。これにより、レバー４０が、引き起こされた状態でプラグハウジング３１にロックされる。
【００３８】
前述したように、プラグハウジング３１は、レバー４０を起こした状態、つまり係合プレート６７においてレバー４０がロックされた状態でリセプタクルハウジング２１の受容空間２７に挿入される。
【００３９】
また、図３に示すように、リセプタクルハウジング２１のフード２６の内周面には、レバー４０のロックを解除する解除爪６９が設けられている。
図９、図１０に示すように、解除爪６９は、レバー４０が引き起こされてロックされた状態のプラグハウジング３１をリセプタクルハウジング２１に挿入していったときに、係合プレート６７が係合突起６８に係合する箇所の近傍において、係合プレート６７とプラグハウジング３１との間に挿入される位置に形成されている。このような解除爪６９は、いかなる形状であっても良いが、例えば、図３に示したように、フード２６の内周面に直交して延出する支持部６９ａと、支持部６９ａの先端部からフード２６の内周面に平行に延出する爪本体６９ｂと、から形成することができる。そして、爪本体６９ｂは、係合プレート６７に対し、係合突起６８と係合する箇所より先端部側において、係合プレート６７とプラグハウジング３１との間に挿入されるよう形成されている。
これにより、レバー４０が引き起こされてロックされた状態のプラグハウジング３１をリセプタクルハウジング２１に挿入していったときに、図１０（ａ）、（ｂ）に示すように、解除爪６９の爪本体６９ｂが係合プレート６７とプラグハウジング３１との間に入り込んで係合プレート６７をプラグハウジング３１から離間する方向に弾性変形させる。これにより、係合プレート６７と係合突起６８との係合が解除され、レバー４０がロック状態から解放される。この後は、前述の通り、レバー４０の他端部４０ｂを押してレバー４０を倒していくことで、カム突起５５とカム溝５６との間に作用するテコの原理により、プラグハウジング３１がリセプタクルハウジング２１に挿入される。そして、アーム部６０の係合爪６３がフード２６の係合凹部６４に係合されることで、プラグハウジング３１がリセプタクルハウジング２１のフード２６に嵌合された状態でロックされる。
【００４０】
なお、本実施形態においては、プラグコネクタ３０Ａ、３０Ｂ、３０Ｃのそれぞれに設けられた、上記のようにレバー４０のロック・解除操作を行うための弾性変形片６１は、リセプタクルハウジング２１に対し、一方の側に統一して設けられている。これにより、プラグコネクタ３０Ａ、３０Ｂ、３０Ｃのいずれにおいても、レバー４０のロック・解除操作を、リセプタクルハウジング２１の一方の側から行うことができる。
【００４１】
また、図６に示したように、レバー４０において、プラグハウジング３１の両側に位置するアーム部６０どうしが連結部７０によって連結されている。連結部７０は、レバー４０を引き起こしてロックした仮係止状態においても、なるべくプラグハウジング３１の上面３１ａに近い側に位置するよう、アーム部６０、６０の先端側（延伸部４２から離間した側）に設けられている。
【００４２】
図４、図６（ｂ）に示したように、プラグハウジング３１において、連結部７０と対向する側の側面３１ｂには、上下方向に延びる突条部７１が形成されている。突条部７１は、支軸４１を中心とした円弧状に形成されている。
一方、連結部７０には、突条部７１が挿入される凹溝７２ａを有した断面略Ｕ字状のガイド部７２が形成されている。ガイド部７２は、支軸４１を中心としてレバー４０を回動させたときに、突条部７１が常に挿入された状態（凹溝７２ａと突状部７１とが噛み合った状態）を維持する。また、ガイド部７２は、連結部７０に対して、延伸部４２から離間する側に突出して形成された突出部７２ｂを有している。この突出部７２ｂは、連結部７０から離間するに従い、その外形寸法が漸次縮小する。凹溝７２ａは、連結部７０および突出部７２ｂにおいて、プラグハウジング３１に対向する側に連続して形成されている。
【００４３】
また、プラグハウジング３１において、リセプタクルハウジング２１に対向する側には、連結部７０が設けられている側に突出する顎部７５が形成されている。この顎部７５に連結部７０が干渉することで、レバー４０を倒す方向におけるレバー４０の回動角度を規制する。
顎部７５において、連結部７０に対向する側には、突出部７２ｂを収容できる凹部７５ａが形成されている。これにより、連結部７０が顎部７５に突き当たるまで、レバー４０を倒すことができる。
【００４４】
上述したように、レバー４０において、プラグハウジング３１の両側に位置するアーム部６０どうしが連結部７０によって連結され、この連結部７０が、レバー４０を引き起こしてロックした仮係止状態においても、なるべくプラグハウジング３１の上面３１ａに近い側に位置するよう設けられている。これにより、コンタクト保持孔３２内のコンタクト３３に電気的に接続された電線からなるワイヤーハーネス１００が、プラグハウジング３１のリセプタクルハウジング２１に対する挿抜方向と直交する方向に沿って連結部７０側に配索されても、連結部７０がワイヤーハーネス１００と干渉するのを避けることができる。
【００４５】
さらに、レバー４０において支軸４１から離間した他端４０ｂ側に、プラグハウジング３１に突条部７１が形成され、連結部７０には、突条部７１が入り込むガイド部７２が形成されているので、レバー４０を引き起こした仮係止状態から、レバー４０を倒した状態まで、いかなる状態においても、レバー４０とプラグハウジング３１の隙間に電線が入りこむのを防止できる。さらに、ガイド部７２は、延伸部４２から離間する側に突出する突出部７２ｂを有しているので、突出部７２ｂが無い場合に比較して、突条部７１にかみ合ったままの状態でレバー４０を引き起こすことのできる角度（開き角）をより大きくすることができる。これにより、レバー４０で発揮する倍力を、より大きなものとすることができる。
【００４６】
加えて、プラグハウジング３１に、顎部７５が形成されている。これにより、プラグコネクタ３０を単体で取り扱うときに、顎部７５を持ち手とすることができる。さらに、このような顎部７５を形成しつつも、顎部７５に突出部７２ｂを収容できる凹部７５ａが形成されているため、レバー４０の開き角が狭められることもなく、連結部７０が顎部７５に突き当たるまで、レバー４０を倒すことができる。
【００４７】
なお、上記実施の形態で示した構成は一例に過ぎず、具体的な構造等は、上記実施の形態で示した以外に変更することが可能である。
これ以外にも、本発明の主旨を逸脱しない限り、上記実施の形態で挙げた構成を取捨選択したり、他の構成に適宜変更することが可能である。
【符号の説明】
【００４８】
１０…電気コネクタ組立体、２０…リセプタクルコネクタ、２１…リセプタクルハウジング（第一のハウジング）、２２…コンタクト（第一のコンタクト）、２６…フード、２７…受容空間、３０…プラグコネクタ、３１…プラグハウジング（ハウジング、第二のハウジング）、３１ａ…上面（一面側）、３１ｂ…側面、３２…コンタクト保持孔、３３…コンタクト（第二のコンタクト）、４０…レバー、４０ａ…一端部、４０ｂ…他端部、４１…支軸、４２…延伸部、６０…アーム部、６６…係合突起、６７…係合プレート、６８…係合突起、６９…解除爪、７０…連結部、７１…突条部、７２…ガイド部、７２ａ…凹溝、７２ｂ…突出部、７５…顎部、７５ａ…凹部、１００…ワイヤーハーネス
【図１】
0005525252.tif 000002
【図２】
0005525252.tif 000003
【図３】
0005525252.tif 000004
【図４】
0005525252.tif 000005
【図５】
0005525252.tif 000006
【図６】
0005525252.tif 000007
【図７】
0005525252.tif 000008
【図８】
0005525252.tif 000009
【図９】
0005525252.tif 000010
【図１０】
0005525252.tif 000011